(57)【要約】  【課題】  清掃具において、掻き落としバーの装着交換操作を簡便にする。  【解決手段】  握りハンドル１５に連設した本体１と、本体１の前方に設ける掻き落としバー４と、前記本体１の後方に設けた清掃ユニット５を有する清掃具において、前記本体１の前方にくぼみ２を設け、後方に前記くぼみ２に平行する溝状のくぼみ３が設けられ、前記掻き落としバー４及び清掃ユニット５はそれぞれ移動可能に前記くぼみ２及び溝状のくぼみ３中に設けて成る清掃具を提供する。【選択図】図１
0003127605.tif 000002
【実用新案登録請求の範囲】
【請求項１】
握りハンドルに連設された本体と、該本体の前方に設けた掻き落としバーとを有する清掃具において、
前記本体前方にくぼみを設けて、該くぼみに断面が比較的大きい拘持部及び断面が比較的小さい開口を有し、上下側に上下側壁を設け、少なくとも両端に挿入口を設け、更に、前記掻き落としバーには前記拘持部の比較的大きい断面の外形に相応して、前記挿入口から前記くぼみ中に挿入する位置決め部と、その断面が比較的位置決め部より小さく、前記位置決め部末端に設けられ、かつ、前記開口に突出したことを特徴とする清掃具。
【請求項２】
前記くぼみの上側壁が内向きに突座を突出し、前記掻き落としバーの位置決め部に係止部を設けることで前記突座に係合させることを特徴とする請求項１記載の清掃具。
【請求項３】
前記くぼみの下側壁に延出片を設けてあることを特徴とする請求項１記載の清掃具。
【請求項４】
前記くぼみの下側壁に片体を設けて、該片体と前記下側壁との間にくぼみを設け、更に、前記片体内側には内から外に向けて漸次厚さを増すよけ止を設け、前方に延出部を設けたことを特徴とする請求項１記載の清掃具。
【請求項５】
前記くぼみの上側壁にいくつかのねじ孔を設けることで、ねじに合わせて前記掻き落としバーを固設することを特徴とする請求項１記載の清掃具。
【請求項６】
前記本体の後方に略前記くぼみに平行する溝状のくぼみを設けることで清掃ユニットを装着し、且つ、前記くぼみと前記溝状のくぼみとの間には空室を設けて、前記溝状のくぼみのくぼみ底に少なくとも位置決め口を設け、更に、前記清掃ユニットには前記溝状のくぼみの外形に相応し、前記溝状のくぼみ中に設ける固定ピースと、該固定ピース端部に設ける清掃素子と、略Ｌ形を呈し、前記固定ピース前方に設けられ、その上部にハングアームを設けた少なくとも一つの拘持片を有し、装着時には先ず前記の清掃ユニットを前記溝状のくぼみに挿入し、更に、前記止ピースが前記位置決め口を貫通することで前記空室へ突出し、更に、前記清掃ユニットを横移動して前記のハングアームを前記位置決め口に拘持させることを特徴とする請求項１記載の清掃具。
【請求項７】
握りハンドルに連設された本体と、該本体の後方に設けた清掃ユニットとを有する清掃具において、
前記本体の後方に溝状のくぼみを設け、前記溝状のくぼみのくぼみ底には少なくとも位置決め口を設け、更に、前記清掃ユニットは前記溝状のくぼみに相応する外形を有し、前記溝状のくぼみへ設ける固定ピースと、該固定ピースの端部に設けた清掃素子と、略Ｌ形を呈し、前記固定ピースの前方に設け、その上部にハングアームを設けて少なくとも一つの拘持片を備えていることを特徴とする清掃具。
【請求項８】
前記溝状のくぼみのくぼみ底外部で前記位置決め口に近い箇所に突起を設け、前記ハングアーム端部の下側縁に斜面が設けられ、且つ、前記斜面に近い箇所に凹くぼみを設けることで前記突起をはさむように設けたことを特徴とする請求項７記載の清掃具。
【請求項９】
前記清掃素子は固定部と、固定部末端に設けるふき払う部とを有し、前記固定ピースは略板状体を呈し、下部にいくつかの歯部と孔を設けた上ユニットと、略板状体を呈し、上部にいくつかの歯部と柱体を設けた下ユニットとを有し、前記柱体は前記孔に嵌合され、前記上下ユニットの歯部は前記清掃素子の固定部に固設したことを特徴とする請求項７記載の清掃具。
【考案の詳細な説明】
【技術分野】
【０００１】
本考案は清掃具に関するものであり、特に、掻き落としバー及び或いは清掃ユニットの交換を可能にした清掃具に関するものである。
【背景技術】
【０００２】
従来の清掃具は、下方に握りハンドルを設けた板体と、綿、布或いはコロジオン等でふき払う清掃に使用できる品物が、板体の一側に設けられ、その上に網を張設することで、よごれを取り除く効果が期待できる清掃素子と、ゴムから作製され、板体の他側に設けて水につかったのをかき除き、しかも、水を残さない材料特性を介して有効的にガラスを清掃でき、その端部に比較的薄い清掃部を有し、ガラスに沿って小幅の変化をすることができ、又、弧面を備えたガラス設備にも用いられる。例えば、車の窓、使用の時、先ず清掃素子で清掃液にとり合わせて（水及び／或いは清掃剤）よごれを除去した後に、或いは、ひとたび水をそそいで洗い、更に掻き落としバーで上から下に向け、或いは左から右に向けて水かき落としを介して、ガラスを清掃できるようにしたものが知られている。而して、この清掃具を長時間に及んで使用すれば、掻き落としバー及び／或いは清掃素子が摩耗し、水浸し等により破損し、綿落ちし、又は腐食等の現象が生じる。而も、従来の掻き落としバー及び清掃素子は皆板体上に固定するため、交換することができないと云う欠陥があり、経済的に不利である。
【考案の開示】
【考案が解決しようとする課題】
【０００３】
本考案の目的は、掻き落としバーが交換できる清掃具を提供するにある。
【０００４】
本考案の他の目的は清掃素子が交換できる清掃具を提供する。
【０００５】
本考案の更に他の目的は掻き落としバー及び清掃素子の装着並びに交換が容易であって、コストダウンにも寄与する清掃具を提供する。
【課題を解決するための手段】
【０００６】
本考案は上記目的を達成するために提案されたものであり、請求項１記載の考案は握りハンドルに連設された本体と、該本体の前方に設けた掻き落としバーとを有する清掃具において、前記本体前方にくぼみを設けて、該くぼみに断面が比較的大きい拘持部及び断面が比較的小さい開口を有し、上下側に上下側壁を設け、少なくとも両端に挿入口を設け、更に、前記掻き落としバーには前記拘持部の比較的大きい断面の外形に相応して、前記挿入口から前記くぼみ中に挿入する位置決め部と、その断面が比較的位置決め部より小さく、前記位置決め部末端に設けられ、かつ、前記開口に突出したことを特徴とする清掃具を提供する。
【０００７】
請求項２記載の考案は、前記くぼみの上側壁が内向きに突座を突出し、前記掻き落としバーの位置決め部に係止部を設けることで前記突座に係合させることを特徴とする請求項１記載の清掃具を提供する。
【０００８】
請求項３記載の考案は、前記くぼみの下側壁に延出片を設けてあることを特徴とする請求項１記載の清掃具を提供する。
【０００９】
請求項４記載の考案は前記くぼみの下側壁に片体を設けて、該片体と前記下側壁との間にくぼみを設け、更に、前記片体内側には内から外に向けて漸次厚さを増すよけ止を設け、前方に延出部を設けたことを特徴とする請求項１記載の清掃具を提供する。
【００１０】
請求項５記載の考案は前記くぼみの上側壁にいくつかのねじ孔を設けることで、ねじに合わせて前記掻き落としバーを固設することを特徴とする請求項１記載の清掃具を提供する。
【００１１】
請求項６記載の考案は、前記本体の後方に略前記くぼみに平行する溝状のくぼみを設けることで清掃ユニットを装着し、且つ、前記くぼみと前記溝状のくぼみとの間には空室を設けて、前記溝状のくぼみのくぼみ底に少なくとも位置決め口を設け、更に、前記清掃ユニットには前記溝状のくぼみの外形に相応し、前記溝状のくぼみ中に設ける固定ピースと、該固定ピース端部に設ける清掃素子と、略Ｌ形を呈し、前記固定ピース前方に設けられ、その上部にハングアームを設けた少なくとも一つの拘持片を有し、装着時には先ず前記の清掃ユニットを前記溝状のくぼみに挿入し、更に、前記止ピースが前記位置決め口を貫通することで前記空室へ突出し、更に、前記清掃ユニットを横移動して前記のハングアームを前記位置決め口に拘持させることを特徴とする請求項１記載の清掃具を提供する。
【００１２】
請求項７記載の考案は握りハンドルに連設された本体と、該本体の後方に設けた清掃ユニットとを有する清掃具において、前記本体の後方に溝状のくぼみを設け、前記溝状のくぼみのくぼみ底には少なくとも位置決め口を設け、更に、前記清掃ユニットは前記溝状のくぼみに相応する外形を有し、前記溝状のくぼみへ設ける固定ピースと、該固定ピースの端部に設けた清掃素子と、略Ｌ形を呈し、前記固定ピースの前方に設け、その上部にハングアームを設けて少なくとも一つの拘持片を備えていることを特徴とする清掃具を提供する。
【００１３】
請求項８記載の考案は前記溝状のくぼみのくぼみ底外部で前記位置決め口に近い箇所に突起を設け、前記ハングアーム端部の下側縁に斜面が設けられ、且つ、前記斜面に近い箇所に凹くぼみを設けることで前記突起をはさむように設けたことを特徴とする請求項７記載の清掃具を提供する。
【００１４】
請求項９記載の考案は前記清掃素子は固定部と、固定部末端に設けるふき払う部とを有し、前記固定ピースは略板状体を呈し、下部にいくつかの歯部と孔を設けた上ユニットと、略板状体を呈し、上部にいくつかの歯部と柱体を設けた下ユニットとを有し、前記柱体は前記孔に嵌合され、前記上下ユニットの歯部は前記清掃素子の固定部に固設したことを特徴とする請求項７記載の清掃具を提供する。
【考案の効果】
【００１５】
本考案は上記構成に係るから、掻き落としバー及び又は清掃素子の装着並びに交換操作が極めて簡便に実施でき、且つ、コストダウンにも寄与することができる。
【考案を実施するための最良の形態】
【００１６】
本考案は、掻き落としバーの装着交換操作を簡便にすると云う目的を握りハンドルに連設した本体と、本体の前方に設ける掻き落としバーと、前記本体の後方に設けた清掃ユニットを有する清掃具において、前記本体の前方にくぼみを設け、後方に前記くぼみに平行する溝状のくぼみが設けられ、前記掻き落としバー及び清掃ユニットはそれぞれ移動可能に前記くぼみ及び溝状のくぼみ中に設けて成る清掃具を提供することにより実現した。
【実施例】
【００１７】
以下、本考案の好適な実施例を図１〜図８に従って説明する。
【００１８】
本考案は図１〜図６に示すように、略板状を呈する本体１と、略垂直を呈し、本体１の下方に固設される握りハンドル１５と、略水平を呈し本体１の前方に設けられる掻き落としバー４と、掻き落としバー４と平行に本体１の後方に設けた清掃ユニット５とを包む。掻き落としバー４と清掃ユニット５とは移動可能に本体１へ固設する。
【００１９】
以下、本考案の実施例を詳細に説明する。
【００２０】
本体１は該本体１の下方中央部に設けられ、その上にねじ孔１３を設けた接続座１１と、断面が略Ｌ形を呈し、本体１の前方に設け、断面が比較的大きい拘持部２１及び断面が比較的小さい開口２３を有する。その上下側には上下側壁２０，２２を設け、その端部が少なくとも挿入口２５を設けることで、掻き落としバー４の装着に供することができるくぼみ２と、該くぼみ２に平行で本体１の後方に設けた溝状のくぼみ３とを有する。
【００２１】
くぼみ２と溝状のくぼみ３との間に空室１４を設けている。そして、本体１の構成強度を強化するため本体１の接続座１１に隆起１２を設け、前記空室１４内にはいくつかのリブ１６を設ける。
【００２２】
握りハンドル１５の下端部にねじ部１７を設けて前記ねじ孔１３に螺合できるように構成されている。
【００２３】
掻き落としバー４は、位置決め部４２と清掃部４１を有し、位置決め部４２には拘持部２１の比較的大きい断面に相応する外形を有する。そして、挿入口２５からくぼみ２に挿入し、くぼみ２中において横方向に所定位置まで移動できる。更に、位置決め部４２の断面が比較的大きいことにより、この掻き落としバー４が開口２３から脱出することがなく、特に、プラスチック材料を用いることでその特性により不慮の横方向移動が抑制される。又、清掃部４１で水をかき落とす作業が容易となる。該清掃部４１の断面は比較的位置決め部４２より小さく、位置決め部４２の末端に設け、且つ開口２３から前方へ突出していることで前記水のかき落とし作業が良好となる。
【００２４】
更に、掻き落としバー４が開口２３から脱出するのを防止するために、上側壁２０が内側に向けて突出するほぼ断面梯形の突座２４を有し、位置決め部４２には係止部４３を設けることで突座２４に嵌合している。
【００２５】
清掃部４１を保護するために、上側壁２０に延出片２６を設け、水をかき落とす時に延出片２６は受力を分散できるので、掻き落としバー４の耐久度が増加する。
【００２６】
更に、掻き落としバー４が挿入口２５から脱出するのを防止するため、上側壁２０の右段に片体２７を設け、片体２７と下側壁２２との間に溝２７１を設け、且つ、端部が外に向いた延出部２８が設けられている。又、内側に、内から外に向いて漸次厚さを増すよけ止２９（図６参照）が突設されている。そして、掻き落としバー４がスライドしてよけ止め２９箇所まで移動した時に、阻止力を受けて継続的に右向きにスライドすると更に阻止力が大きくなる。そして、使用者が掻き落としバー４を交換したい時には、延出部２８を押圧することでよけ止め２９の掻き落としバー４に対する制限を軽減でき、更に左に向いて掻き落としバー４を引張ることにより取出すことができる。
【００２７】
溝状のくぼみ３のくぼみ底３１に、位置決め口３３を設け、該くぼみ底３１の外部で位置決め口３３に近い箇所に条状突起３５が設けられ、該条状突起３５を介して前記清掃ユニット５を固設している。
【００２８】
清掃ユニット５は、くぼみ３に相応する外形を有し、くぼみ３中に嵌挿されてくぼみ３中における上下揺動が防止する固定ピース６０と、該固定ピース６０の端部に設けられた清掃素子５０と、略Ｌ形を呈し、固定ピース６０の前方に設けられた少なくとも一つの拘持片５１を有し、その上部にハングアーム５３を設け、該ハングアーム５３の先端部下側縁には斜面５５を設け、且つ、下側壁で斜面５５に近い箇所に凹くぼみ５７を設けている。
【００２９】
図５（ａ）（ｂ）（ｃ）に示すように、装着の時には先ず清掃ユニット５をくぼみ３内へ挿入し、更に、拘持片５１を位置決め口３３に貫通して空室１４へ突出する。更に、横方向に清掃ユニット５を移動することでハングアーム５３を位置決め口３３に拘持して、清掃ユニット５の縦方向移動を制限する。更に、清掃ユニット５を横方向に移動することで、少しばかりのハングアーム５３の弾力及び斜面５５を介してハングアーム５３の端部が突起３５を越え、更に、凹くぼみ５７を突起３５に係合することで清掃ユニット５の横方向移動を制限する。
【００３０】
清掃素子５０は、固定部５２と該固定部５２の端部に設けられ、ガラスをふき払うのに用いるふき払う部５４とを有する。固定ピース６０は板状体から成り、下部にいくつかの歯部６３と孔６５を設けた上ユニットと、略板状体から成り、上部にいくつかの歯部６４と柱体６６を設ける下ユニット６２を有する。そして、柱体６６は前記孔６５に嵌合することで、上下ユニットを結合する。歯部６３，６４は固定部５２に圧着されている。
【００３１】
図７に示す第２実施例は、くぼみ２ａの上側壁２０ａにいくつかのねじ孔７０を設けて、ねじ７１に合わせて掻き落としバー４を固設することで、掻き落としバー４の横方向へのスライドを制限する。
【００３２】
図８に示す第３実施例は、くぼみ２ｂの断面が略円形を呈し、掻き落としバー４ｂの位置決め部４１ｂがくぼみ２ｂに相応する外形を有するので、くぼみ２ｂにおいて横方向のスライドをし、しかも開口２３ｂから脱出することがない。
【００３３】
コストを節約するために、掻き落としバー４及び清掃ユニット５もその一つを選択して本体１に固設することができる。
【図面の簡単な説明】
【００３４】
【図１】本考案の分解斜視図。
【図２】本考案の構成部分を示す斜視図。
【図３】本考案の側面図。
【図４】本考案の縦断面図。
【図５】（ａ）（ｂ）（ｃ）は本考案清掃ユニットの装着動作の解説図。
【図６】本考案の水平よけ止め部の解説図。
【図７】本考案第２実施例の斜視図。
【図８】本考案第３実施例の斜視図。
【符号の説明】
【００３５】
１              本体
２，２ａ，２ｂ  くぼみ
３              溝状のくぼみ
４，４ｂ        掻き落としバー
５              清掃ユニット
１１              接続座
１２              隆起
１３              ねじ孔
１５              握りハンドル
１６              リブ
１７              ねじ部
２１              拘持部
２２              下側壁
２３，２３ｂ      開口
２４              突座
２５              挿入口
２６              延出片
２７              片体
２８              延出部
２９              よけ止め
３１              くぼみ底
３３              位置決め口
３５              板状突起
４１，４１ｂ      位置決め部
４２              清掃部
４３              係止部
５０              清掃素子
５１              拘ピース
５２              固定部
５３              ハングアーム
５４              ふき払う部
５５              斜面
５７              凹くぼみ
６０              固定ピース
６１              上ユニット
６２              下ユニット
６３，６４        歯部
６５              孔
６６              柱体
７０              ねじ孔
７１              ねじ
【図１】
0003127605.tif 000003
【図２】
0003127605.tif 000004
【図３】
0003127605.tif 000005
【図４】
0003127605.tif 000006
【図５】
0003127605.tif 000007
【図６】
0003127605.tif 000008
【図７】
0003127605.tif 000009
【図８】
0003127605.tif 000010